(57)【特許請求の範囲】
【請求項１】
紙からなる基材層の上に印刷による絵柄層が最表面にのみ１層形成された蓋材であって、前記絵柄層が蓋材表面に部分的に特定の絵柄を形成し、前記絵柄層は、少なくとも前記特定の絵柄の部分においては剥離層を介して前記基材層の上に積層され、該絵柄層と前記剥離層との密着強度が、前記剥離層と前記基材層との密着強度より強い設定とされていて、当該蓋材の表面における前記特定の絵柄の部分に透明粘着テープを貼り付け、その透明粘着テープを剥がすことによって、前記特定の絵柄の部分の絵柄層が前記剥離層と共に前記基材層から剥がれて前記透明粘着テープの粘着面側に転位し、前記特定の絵柄の部分の絵柄層および前記剥離層が付いたまま前記透明粘着テープが剥がれることを特徴とする蓋材。
【請求項２】
紙からなる基材層の上に印刷による絵柄層が最表面にのみ１層形成された蓋材であって、前記絵柄層が蓋材表面に部分的に特定の絵柄を形成し、前記絵柄層は、少なくとも前記特定の絵柄の部分においては剥離層を介して前記基材層の上に積層され、該絵柄層と前記剥離層との密着強度が、前記剥離層と前記基材層との密着強度より弱い設定とされていて、当該蓋材の表面における前記特定の絵柄の部分に透明粘着テープを貼り付け、その透明粘着テープを剥がすことによって、前記特定の絵柄の部分の絵柄層が前記剥離層を残して前記基材層から剥がれて前記透明粘着テープの粘着面側に転位し、前記特定の絵柄の部分の絵柄層が付いたまま前記透明粘着テープが剥がれることを特徴とする蓋材。
【発明の詳細な説明】
【０００１】
【発明の属する技術分野】
本発明は、カップ食品等の容器の蓋材に関し、特に、景品応募用のシールの機能を付与した蓋材に関する。
【０００２】
【従来の技術】
例えばキャンペーン用の缶ジュース等で、缶やガラスビンに景品応募用のタックシールを貼っておき、消費者がそのタックシールを剥がし、葉書に貼り付けて応募するようにしたものが従来から知られている。
【０００３】
【発明が解決しようとする課題】
上記従来の技術では、商品とは別にタックシールが必要で、また、タックシールを貼るためのタックシール貼機が必要となり、さらに、缶ジュース等の充填ラインにおいてタックシールを貼る作業が新たに必要となるため、かなりのコストアップが強いられていた。
【０００４】
景品応募付きキャンペーンはカップ食品等について行いたい場合もあり、その場合、缶ジュース等の場合と同様に容器本体にタックシールを貼り、あるいは蓋材にタックシールを貼ることによって、消費者がそのタックシールを剥がし葉書に貼り付けて応募するようできる。しかし、そうした場合はやはりタックシールおよびタックシール貼機が必要となり、また、タックシールを貼る作業が新たに必要となって、コストアップが避けられない。
【０００５】
そこで、景品応募用等のため容器に貼付していた従来のタックシールに代わる簡易でコストのかからない手段が求められている。
【０００６】
【課題を解決するための手段】
本発明は、容器の蓋材を、紙からなる基材層の上に印刷により絵柄層を積層したものとし、その絵柄層を、蓋材表面に部分的に特定の絵柄を形成するものとし、かつ、該絵柄層と基材との接着強度を、少なくともその特定の絵柄の部分においては基材層の紙の層間強度より弱い設定とするものである。この場合、上記特定の絵柄の部分で貼着しかつ絵柄部周辺では貼着しないよう例えばセロテープ等の透明粘着テープを貼り付け、そのテープを剥がすと、その特定の絵柄の部分で絵柄層と基材との接着強度が基材層の紙の層間強度より弱いことにより、基材層に紙剥け等を発生させることなく、その特定の絵柄をテープ側に転位させ、テープを絵柄ごと基材層から剥がせる。そして、この絵柄ごと剥がしたテープを絵柄が見える状態で他の紙等に貼ることができる。したがって、蓋材自体、キャンペーン等の景品応募用のタックシールと同等の機能を付与したものとなる。
【０００７】
請求項１に係る発明の蓋材は、紙からなる基材層の上に印刷による絵柄層が最表面にのみ１層形成された蓋材であって、前記絵柄層が蓋材表面に部分的に特定の絵柄を形成し、前記絵柄層は、少なくとも前記特定の絵柄の部分においては剥離層を介して基材層の上に積層され、絵柄層と剥離層との密着強度が、剥離層と基材層との密着強度より強い設定とされていて、当該蓋材の表面における前記特定の絵柄の部分に透明粘着テープを貼り付け、その透明粘着テープを剥がすことによって、前記特定の絵柄の部分の絵柄層が剥離層と共に基材層から剥がれて透明粘着テープの粘着面側に転位し、前記特定の絵柄の部分の絵柄層および剥離層が付いたまま透明粘着テープが剥がれるものである。その場合、テープを貼り付け、そのテープを剥がすと、特定の絵柄の部分で絵柄層が剥離層と共に基材層から剥がれて絵柄層がテープ側に転位し、テープは絵柄層および剥離層が付いたまま剥がれる。そして、その剥がしたテープは絵柄が見える状態で他の紙等に貼ることができる。
【０００８】
請求項２に係る発明の蓋材は、紙からなる基材層の上に印刷による絵柄層が最表面にのみ１層形成された蓋材であって、前記絵柄層が蓋材表面に部分的に特定の絵柄を形成し、前記絵柄層は、少なくとも前記特定の絵柄の部分においては剥離層を介して基材層の上に積層され、絵柄層と剥離層との密着強度が、剥離層と基材層との密着強度より弱い設定とされていて、当該蓋材の表面における前記特定の絵柄の部分に透明粘着テープを貼り付け、その透明粘着テープを剥がすことによって、前記特定の絵柄の部分の絵柄層が剥離層を残して基材層から剥がれて透明粘着テープの粘着面側に転位し、前記特定の絵柄の部分の絵柄層が付いたまま透明粘着テープが剥がれるものである。この場合、剥離層には、例えば、剥離性に優れたポリアミド樹脂系インキを用いるのがよい。また、特に、蓋材をヒートシールするときにシールバーが直接剥離層に接する場合のように耐熱性が要求される場合には、剥離層に耐熱性の高い塩化ゴム系インキを用いることも可能である。この蓋材は、特定の絵柄の部分にテープを貼り付け、そのテープを剥がすことによって、特定の絵柄の部分で絵柄層が剥離層を残して基材層から剥がれ、その絵柄層がテープ側に転位し、絵柄層が付いたままテープが剥がれる。そして、そのテープはやはり絵柄が見える状態で他の紙等に貼ることができる。
【０００９】
【発明の実施の形態】
図１および図２は本発明による蓋材の一例に係るものである。図１は蓋材の模式断面を示し、図２は蓋材の絵柄を転位させたテープを葉書に貼りつけた状態の模式断面を示す。
【００１０】
図１に示す蓋材１０Ａは、片アート紙からなる基材層１１の裏面にポリエチレン１２，アルミニウム１３，ポリエチレン１４をこの順序で積層し、最裏面に、容器との接着層となるシール層１５を積層してなるものである。そして、その基材層１１の表面には、所定の部位に特定の絵柄を形成するよう剥離層１６Ａを介して絵柄層１７Ａが積層されている。
【００１１】
この蓋材１０Ａは、例えば景品応募付きキャンペーンの際のカップ容器に使用するものであり、その場合、上記絵柄は応募マークであってよい。
【００１２】
剥離層１６Ａは、酢酸セルロース系インキを用いグラビア印刷等により形成したものである。
【００１３】
また、絵柄層１７Ａは、硝化綿系インキを用い、やはりグラビア印刷等で形成したものである。
【００１４】
この場合、絵柄層１７Ａ（硝化綿系インキ）と剥離層１６Ａ（酢酸セルロース系インキ）との密着強度が、剥離層１６Ａ（酢酸セルロース系インキ）と基材層１１（紙）との密着強度より強い。そのため、特定の絵柄の部分に貼着しその周辺では貼着しないようセロテープ等の透明粘着テープ２０を貼り付け、そのテープ２０を剥がすことによって、図１に二点鎖線で示すように、特定の絵柄の部分の絵柄層１７Ａが剥離層１６Ａと共に基材層１１から剥がれ、テープ２０側に転位する。そして、絵柄層１７Ａおよび剥離層１６Ａが付いたままテープ２０が剥がれる。
【００１５】
こうして絵柄層１７Ａおよび剥離層１６Ａが付いたまま剥がれたテープ２０は、図２に示すように葉書３０等に貼り、透明なテープ２０を通して絵柄層１７Ａの絵柄が見える状態で景品応募等の用に供することができる。
【００１６】
図３および図４は本発明による蓋材の他の例に係るものである。図３は蓋材の模式断面を示し、図４は蓋材の絵柄を転位させたテープを葉書に貼りつけた状態の模式断面を示す。
【００１７】
図３に示す蓋材１０Ｂは、やはり、片アート紙からなる基材層１１の裏面にポリエチレン１２，アルミニウム１３，ポリエチレン１４をこの順序で積層し、最裏面に、容器との接着層となるシール層１５を積層してなるものである。そして、その基材層１１の表面には、所定の部位に特定の絵柄を形成するよう、剥離層１６Ｂを介して絵柄層１７Ｂが積層されている。
【００１８】
この蓋材１０Ｂも、また、例えば景品応募付きキャンペーンの際のカップ容器に使用するもので、上記絵柄は応募マークであってよい。
【００１９】
この例の場合、剥離層１６Ｂは、ポリアミド樹脂系インキを用いたもので、やはりグラビア印刷等で形成している。なお、剥離層１６Ｂは塩化ゴム系インキを用いて形成してもよい。
【００２０】
絵柄層１７Ｂは、やはり、硝化綿系インキを用い、グラビア印刷等で形成したものである。
【００２１】
この場合は、絵柄層１７Ｂ（硝化綿系インキ）と剥離層１６Ｂ（ポリアミド樹脂系インキまたは塩化ゴム系インキ）との密着強度が、剥離層１６Ｂ（ポリアミド樹脂系インキまたは塩化ゴム系インキ）と基材層１１（紙）との密着強度より弱い。そして、剥離層１６Ｂにポリアミド樹脂系インキまたは塩化ゴム系インキを用いた場合、剥離層１６Ｂがシールヘッドに接してもシールヘッドに取られることはない。そのため、やはり特定の絵柄の部分に貼着しその周辺では貼着しないようセロテープ等の透明粘着テープ２０を貼り付け、そのテープ２０を剥がすことによって、図３に二点鎖線で示すように、特定の絵柄の部分の絵柄層１７Ｂが剥離層１６Ｂを残して基材層１１から剥がれ、テープ２０側に転位して、絵柄層１７Ｂが付いたままテープ２０が剥がれる。
【００２２】
こうして絵柄層１７Ｂが付いたまま剥がれたテープ２０は、図４に示すようにやはり葉書３０等に貼ることができ、透明なテープ２０を通して絵柄層１７Ｂの絵柄が見える状態で景品応募等の用に供することができる。
【００２３】
【発明の効果】
本発明によれば、蓋材に設けた特定の絵柄をテープ側に転位させ、テープを絵柄ごと基材層から剥がして、絵柄が見える状態で他の紙等に貼ることができるので、印刷により蓋材自体にタックシールと同等の機能を付与することができ、景品応募用等のタックシールに代わる簡易でコストのかからない手段とすることができる。
【図面の簡単な説明】
【図１】  本発明による蓋材の模式断面図である。
【図２】  図１に示す蓋材の絵柄を転位させたテープを葉書に貼りつけた状態の模式断面図である。
【図３】  本発明による他の蓋材の模式断面図である。
【図４】  図３に示す蓋材の絵柄を転位させたテープを葉書に貼りつけた状態の模式断面図である。
【符号の説明】
１０Ａ，１０Ｂ  蓋材
１１  基材層
１６Ａ，１６Ｂ  剥離層
１７Ａ，１７Ｂ  絵柄層
２０  透明粘着テープ
３０  葉書
【図１】
0004002333.tif 000002
【図２】
0004002333.tif 000003
【図３】
0004002333.tif 000004
【図４】
0004002333.tif 000005